(57)【要約】【課題】簡単な構成で取扱い易く、傾斜して打ち込まれた板状の杭であっても容易に引抜くことができる杭引抜き装置及び杭の引抜き方法を提供する。【解決手段】棒状の本体１１と、前記本体１１に取付けられガイド体５０の係合溝５５に摺動自在に嵌り込む係合体３０とを備え杭１００を押上げる押上げ棒１０と、前記押上げ棒１０の本体１１の先端１２に位置し、杭１００の突出部に係止する係止具４０と、前記係合体３０が嵌り込む前記係合溝５５を備え前記押上げ棒１０の押上げ方向を規制するガイド体５０と、支持台７７に支持軸７６を介して回動自在に支持され前記押上げ棒１０を押上げる押上げ板７１を備える押上げ装置７０と、前記押上げ板７１の基端部に連結する操作レバー９０と、を備える。【選択図】図１
2020084706.tif 000002
【特許請求の範囲】
【請求項１】
棒状の本体と、前記本体に取付けられガイド体の係合溝に摺動自在に嵌り込む係合体とを備え杭を押上げる押上げ棒と、
前記押上げ棒の本体の先端に位置し、杭の突出部に係止する係止具と、
前記係合体が嵌り込む前記係合溝を備え前記押上げ棒の押上げ方向を規制するガイド体と、
支持台に支持軸を介して回動自在に支持され前記押上げ棒を押上げる押上げ体を備える押上げ装置と、
前記押上げ体の基端部に連結する操作レバーと、
を備え、
前記押上げ棒は、本体が伸長可能に構成され、
前記操作レバーを前記押上げ体の基端部に連結し手元を押下げると、前記押上げ体が前記支持軸を起点に回動し前記押上げ棒を押上げることを特徴とする杭引抜き装置。
【請求項２】
前記押上げ棒の本体は、長手方向が湾曲していることを特徴とする請求項１に記載の杭引抜き装置。
【請求項３】
前記杭が板状の杭であり、地面に斜めに打ち込まれ、
前記押上げ棒は、前記杭を杭が打ち込まれた傾斜角と略平行に押し上げることを特徴とする請求項１又は２に記載の杭引抜き装置。
【請求項４】
前記ガイド体は、前記係合溝を備える左右一対のガイド本体と、前記左右一対のガイド本体と連結する支持体とを有し、
前記支持体は、前記押上げ装置が載置する載置部を有し、
前記載置部は、前記押上げ装置が嵌り込む位置決め用凹部を備えることを特徴とする請求項１から３のいずれか１項に記載の杭引抜き装置。
【請求項５】
請求項１から４のいずれか１項に記載の杭引抜き装置を用いた杭の引抜き方法であって、
前記杭の上部に設けられた孔にボルトを挿通、固定し、これを杭の前記突出部とし、
前記突出部に前記係止具を係止させ前記杭を引抜くことを特徴とする杭の引抜き方法。
【発明の詳細な説明】
【技術分野】
【０００１】
本発明は、地面に対して傾斜して打ち込まれた地際補強板のような板状の杭を引抜くことができる杭引抜き装置及び杭の引抜き方法に関する。
【背景技術】
【０００２】
地際が腐食した木柱を補強する部材に地際補強板がある。地際補強板１０１は、図７（Ａ）に示すように短手方向が湾曲した長さの長い金属製の板であり、先端部は鋭角になっている。木柱を補強する場合は、木柱に沿うように地面に打ち込み、地際補強板の上部をボルト及びバンドで木柱に固定する。地際補強板１０１は、支線の仮アンカとして使用される場合もある。この場合には地際補強板１０１は、地面に対して斜めに打ち込まれ、上部の孔１０２に支線が挿通される。
【０００３】
仮アンカとして使用された地際補強板１０１を撤去する際は、ハンマーで地際補強板１０１を左右に叩き地面との接触面を広げて引き抜く、あるいは重機を使用した引抜きが行われていた。ハンマーによる引抜きは、地際補強板１０１が地中に深く打ち込まれているため容易ではない。重機を使用する方法は、現地への重機の運搬等が必要となり簡単に実施できるものではない。支線の仮アンカには図７（Ｂ）に示す断面がＴ字状の仮アンカ１０５もある。
【０００４】
支線アンカについては、これを撤去する撤去具が考案されているが（例えば特許文献1参照）、支線アンカとここに示す支線の仮アンカとでは形態も大きく異なり、支線アンカの撤去具を地際補強板１０１など仮アンカの撤去具に用いることはできない。
【０００５】
ところで地面に打ち込まれた杭を引抜く治具・装置は、これまでに多く考案されている。例えば、農作業用に地面に打ち込んで使用される鋼管製の杭を杆の原理を応用して引抜く装置がある（たとえば特許文献２参照）。
【先行技術文献】
【特許文献】
【０００６】
【特許文献１】特開平３−１６１６６６号公報
【特許文献２】特開２０１１−７４７１０号公報
【発明の概要】
【発明が解決しようとする課題】
【０００７】
仮アンカを地面に打ち込まれた杭と考え、杭を引抜く治具・装置を利用して撤去することも考えられる。しかしながら地際補強板は、短手方向が湾曲した長さの長い金属製の板であり、一般的な杭とは形状が大きく異なる。また地際補強板には、突出部がないため引抜くための治具・装置を簡単に係止させることができない。さらに仮アンカとして使用される場合は、地面に対して斜めに打ち込まれているため引抜きがより難しい。
【０００８】
本発明の目的は、簡単な構成で取扱い易く、傾斜して打ち込まれた板状の杭であっても容易に引抜くことができる杭引抜き装置及び杭の引抜き方法を提供することである。
【課題を解決するための手段】
【０００９】
本発明は、棒状の本体と、前記本体に取付けられガイド体の係合溝に摺動自在に嵌り込む係合体とを備え杭を押上げる押上げ棒と、前記押上げ棒の本体の先端に位置し、杭の突出部に係止する係止具と、前記係合体が嵌り込む前記係合溝を備え前記押上げ棒の押上げ方向を規制するガイド体と、支持台に支持軸を介して回動自在に支持され前記押上げ棒を押上げる押上げ体を備える押上げ装置と、前記押上げ体の基端部に連結する操作レバーと、を備え、前記押上げ棒は、本体が伸長可能に構成され、前記操作レバーを前記押上げ体の基端部に連結し手元を押下げると、前記押上げ体が前記支持軸を起点に回動し前記押上げ棒を押上げることを特徴とする杭引抜き装置である。
【００１０】
本発明の杭引抜き装置において、前記押上げ棒の本体は、長手方向が湾曲していることを特徴とする。
【００１１】
本発明の杭引抜き装置において、前記杭が板状の杭であり、地面に斜めに打ち込まれ、前記押上げ棒は、前記杭を杭が打ち込まれた傾斜角と略平行に押し上げることを特徴とする。
【００１２】
本発明の杭引抜き装置において、前記ガイド体は、前記係合溝を備える左右一対のガイド本体と、前記左右一対のガイド本体と連結する支持体とを有し、前記支持体は、前記押上げ装置が載置する載置部を有し、前記載置部は、前記押上げ装置が嵌り込む位置決め用凹部を備えることを特徴とする。
【００１３】
本発明は、前記杭引抜き装置を用いた杭の引抜き方法であって、前記杭の上部に設けられた孔にボルトを挿通、固定し、これを杭の前記突出部とし、前記突出部に前記係止具を係止させ前記杭を引抜くことを特徴とする杭の引抜き方法である。
【発明の効果】
【００１４】
本発明によれば、簡単な構成で取扱い易く、傾斜して打ち込まれた板状の杭であっても容易に引抜くことができる杭引抜き装置及び杭の引抜き方法を提供することができる。
【図面の簡単な説明】
【００１５】
【図１】本発明の第１実施形態の杭引抜き装置１の斜視図である。
【図２】図１の杭引抜き装置１の押上げ棒１０の斜視図である。
【図３】図１の杭引抜き装置１のガイド体５０の斜視図である。
【図４】図１の杭引抜き装置１の押上げ装置７０の斜視図である。
【図５】図１の杭引抜き装置１の押上げ棒１０をガイド体５０にセットした状態を示す斜視図である。
【図６】本発明の第２実施形態の杭引抜き装置２の押上げ棒２０をガイド体５０にセットした状態を示す斜視図である。
【図７】従来から支線の仮アンカとして使用される、（Ａ）が地際補強板１０１の正面図、（Ｂ）が他の形態の仮アンカ１０５の外観図である。
【発明を実施するための形態】
【００１６】
図１は、本発明の第１実施形態の杭引抜き装置１の斜視図である。図２は、杭引抜き装置１の押上げ棒１０の斜視図、図３は、杭引抜き装置１のガイド体５０の斜視図、図４は、杭引抜き装置１の押上げ装置７０の斜視図である。図５は、杭引抜き装置１の押上げ棒１０をガイド体５０にセットした状態を示す斜視図である。本実施形態では杭１００が地面に斜めに打ち込まれた地際補強板１０１であるとして説明する。
【００１７】
本発明の第１実施形態の杭引抜き装置１は、地面に打ち込まれた杭１００を引抜く装置であり、杭１００を押上げる押上げ棒１０と、杭１００の突出部に係止する係止具４０と、押上げ棒１０の押上げ方向（移動方向）を規制するガイド体５０と、押上げ棒１０を押上げる押上装置７０と、操作レバー９０とを含んでなる（図１参照）。
【００１８】
押上げ棒１０は、本体１１と本体１１の下部に設けられた係合体３０とを有する（図２参照）。本体１１は、先端部１２に取付けられた係止具４０を杭１００の突出部として機能するボルト１１２に係止させ、押上げ装置７０により押上げられ、杭１００を地面から引き抜くように押上げる中空の棒材（円筒部材）である。
【００１９】
本体１１は、直径が大きい第１円筒部材１４と直径が小さい第２円筒部材１６で構成される。第１円筒部材１４に第２円筒部材１６が挿通され、これらは固定ねじ１８で固定され１つの円筒部材を形成する。
【００２０】
第２円筒部材１６には、長手方向に所定の間隔で固定ねじ１８が螺合する複数個の雌ねじ部１７が設けられ、第１円筒部材１４には固定ねじ１８が挿通する貫通孔（図示省略）が設けられている。第１円筒部材１４の貫通孔と第２円筒部材１６の雌ねじ部１７との位置を合せ、固定ねじ１８で固定することで一体化される。第２円筒部材１６には複数個の雌ねじ部１７が設けられているので、固定ねじ１８で固定する雌ねじ部１７の位置を変更することで本体１１の長さを伸長、伸縮させることができる。
【００２１】
第１円筒部材１４及び第２円筒部材１６は、共に同じ曲率半径で湾曲しており、これらを連結してなる本体１１は、図２に示すように下部に設けられる係合体３０の左右の係合部３１をＸ軸に平行に、係合体３０の軸部３５をＺ軸に平行にしたとき、先端部１２が＋Ｙ軸方向に湾曲している。このように本体１１を長手方向に湾曲させることで地面に傾斜して打ち込まれた杭１００に対して効率的に押上げ力を伝達することが可能となり、傾斜した杭１００を容易に引き抜くことができる。
【００２２】
係合体３０は、本体１１の下端に取付けられガイド体５０の係合溝５５に嵌り込み、押上げ棒１０の移動方向を案内する。係合体３０は、ガイド体５０の係合溝５５に摺動自在に嵌り込む係合部３１と係合部３１の下端に取付けられた棒状の軸部３５とを有する。
【００２３】
係合部３１は、押上げ棒１０を挟み左右に配置されるガイド本体５１のそれぞれの係合溝５５に嵌り込む肉厚の板状体である。係合部３１の長さＬ（図２のＸ軸方向）は、左右のガイド本体５１の係合溝５５の底部５６の間隔と略同一であり、また係合部３１の幅Ｗは、係合溝５５の幅と略同一であり、係合部３１は、左右のガイド本体５１の係合溝５５に隙間なく、また摺動自在に嵌り込む。
【００２４】
係合部３１の左右先端は、ともに断面が半円状となっており（図２参照）、ガイド本体５１の係合溝５５の底部５６と線接触する。これにより接触抵抗が小さくなる。但し、係合部３１の左右先端は、平面であってもよい。
【００２５】
軸部３５は、係合部３１の下部の中央に取付けられており、押上げ装置７０の押上げ板７１に当接する部材である。軸部３５は、係合部３１に直交するように（図２のＺ軸方向）取付けられており、軸部３５の軸心と本体１１の下端の軸心とは一致する。このように本体１１と係合体３０とを配置すれば、杭１００に対するガイド体５０のセッティングが容易となる。
【００２６】
軸部３５の底部には、短手方向（図２のＹＺ軸を含む平面）の断面が半円状の棒状部材（半円棒状部材）３７が取付けられている。軸部３５の底部は、押上げ装置７０の押上げ板７１と接触する部分であり、底部に半円棒状部材３７を取付けることで押上げ板７１との接触角度が変化しても押上げ板７１との引っ掛りを防止できる。
【００２７】
本実施形態において軸部３５の外径は、第１円筒部材１４の外径と同じであり、軸部３５の底部に設けられた半円棒状部材３７の長さ（図２のＸ軸方向）、半円棒状部材３７の幅（図２のＹ軸方向）が、軸部３５の外径と略同一であるが、軸部３５及び半円棒状部材３７の大きさはこれに限定されるものではない。押上げ装置７０から受ける押上げ力を本体１１にきちんと伝達できればよい。また軸部３５の長さ（高さ）も所定の長さに限定されるものではない。
【００２８】
係止具４０は、杭１００に取付けられたボルト１１２に係止する部材であり、押上げ棒１０の本体１１の先端部１２に取付けられている。本実施形態に示す係止具４０は、杭１００に取付けられ突出部として機能するボルト１１２に係止させるため、先端部４２は、中央が凹むように湾曲している。また先端部４２の中央底部に押上げ棒１０の本体１１に嵌り込む棒状の取付部４４が設けられている（図２参照）。
【００２９】
取付部４４には係止具４０を押上げ棒１０の先端部１２に、固定ねじ（図示省略）で固定するための雌ねじ部４５が設けられている。一方、押上げ棒１０の先端部１２である第２円筒部材１６の先端部には固定ねじが挿通する孔（図示省略）が設けられ、係止具４０は、第２円筒部材１６の先端部に固定ねじで固定される。
【００３０】
係止具４０の形状、大きさ、係止具４０の押上げ棒１０への固定方法は、特に限定されるものではなく、杭１００の突出部にしっかりと係止できればよい。係止具４０と押上げ棒１０とを一体的に形成してもよいが、本実施形態に示すように係止具４０と押上げ棒１０とを着脱可能とすれば、杭１００の突出部の形態に適した係止具４０を取付け可能であり使い勝手がよい。
【００３１】
ガイド体５０は、押上げ装置７０により押上げられる押上げ棒１０の移動方向を規制するものであり、左右一対のガイド本体５１と、左右のガイド本体５１を所定の間隔に連結する支持板６０とからなる。左右のガイド本体５１は、左右対称に形成されている（図３参照）。
【００３２】
ガイド本体５１は、矩形ブロック形状を有し、内面５２に臨むように係合体３０の係合部３１が嵌り込む係合溝５５が設けられている。係合溝５５は、内面５２の下端５３から上端５４まで設けられた直線状の溝である。係合溝５５は、断面が矩形の溝であり、幅は、係合体３０の係合部３１の幅Ｗと略同一である。
【００３３】
係合溝５５の途中には押上げ棒１０が所定の位置以下に落下することを防ぐストッパー５７が取付けられている。これにより係合溝５５に係合した押上げ棒１０の係合部底面３２がストッパー５７の上面５８に接したとき、軸部３５の底部に設けられた半円棒状部材３７と支持板６０の上面６１の間に、押上げ装置７０の押上げ板７１が入り込むスペースが確保される。ストッパー５７は、図示を省略したボルトでガイド本体５１に固定されており、係合溝５５の任意の位置に固定可能である。
【００３４】
支持板６０は、矩形の板材であり、上面６１に左右のガイド本体５１が載り、ガイド本体５１は、底面からボルト（図示省略）で支持板６０に固定される。このとき左右のガイド本体５１は、互いに係合溝５５を内側に向け、互いの内面５２が平行に、また左右の係合溝５５の底部５６の間隔が係合部３１の長さＬと略同一となるように支持板６０に固定される。
【００３５】
支持板６０は、平面視（図３のＸＹ軸を含む面）において矩形であるが、側面視（図３のＹＺ軸を含む面）において傾斜しており、本実施形態のガイド体５０においては奥が手前に比べて高くなっている（図３参照）。これにより支持板６０に固定されたガイド本体５１及び係合溝５５も僅かに手前側に倒れている。これについての作用効果は、使用方法のところで説明する。
【００３６】
押上げ装置７０は、押上げ棒１０を押上げるための装置であり、押上げ棒１０を押上げる押上げ板７１と、押上げ板７１を回動自在に支持する支持軸７６と、支持軸７６を回動自在に支持する支持台７７とを含む（図４参照）。
【００３７】
押上げ板７１は、押上げ棒１０の底部に設けられた半円棒状部材３７に接し、押上げ棒１０を押し上げる厚い短冊状の板であり、底面に支持軸７６が固定されている。また上面７２の基端部７４側に操作レバー９０が嵌り込む嵌合体７５がしっかりと固定されている。本実施形態では嵌合体７５は円筒状であるが、これに限定されるものではなく、操作レバー９０の断面形状、大きさに合致するものであればよい。
【００３８】
支持台７７は、押上げ板７１を左右から挟むように配置された、支持軸７６を支持する支持板７８、左右の支持板７８を固定する固定板８０とからなる。
【００３９】
支持板７８は、上部に支持軸７６の軸受となる、支持軸７６が摺動自在に嵌合する支持孔７９を有する。左右の支持板７８は、中央に配置される押上げ板７１に接しないようにまた支持軸７６の両端を支持可能に固定板８０の上面８１に固定されている。押上げ板７１は、支持軸７６の両端部をそれぞれ左右の支持板７８に設けられた支持孔７９に挿通させることで支持軸７６を起点に回動可能となる。
【００４０】
操作レバー９０は、押上げ板７１の基端部７４側に設けられた嵌合体７５に先端部を挿入し、押上げ板７１の先端部７３が持ち上がるように押上げ板７１を回動させる。操作レバー９０が装着された押上げ装置７０は、杆を利用した押上げ機構となるから操作レバー９０は、邪魔とならない範囲で長い方が少ない力で杭１００を引き抜くことができる。
【００４１】
杭引抜き装置１の使用方法を説明する。ここでは図１に示すように地面に傾斜して打ち込まれた支線の仮アンカとして使用された地際補強板１０１を引く抜く場合を例として説明する。
【００４２】
地際補強板１０１は、図７（Ａ）に示すように短手方向に湾曲した板状の部材である。この地際補強板１０１が支線の仮アンカとして使用される場合は、地面に長さの半分以上が打ち込まれている。さらに地際補強板１０１には、突起部がないので本実施形態では、地際補強板１０１のボルト挿通孔１０２にボルト１１２を取付け、これを突出部として使用する（図１参照）。
【００４３】
ガイド体５０の係合溝５５に押上げ棒１０の係合体３０を嵌め込み、これを地際補強板１０１の手前側（＋Ｙ軸方向）に、押上げ棒１０の湾曲方向と地際補強板１０１の傾斜方向とが一致するようにセットする。このときガイド体５０は、地際補強板１０１にできるだけ近付ける。押上げ棒１０の先端に取付けられた係止具４０が、ボルト１１２に係止するように又は可能な限り近い位置となるように本体１１の長さを調整する。本体１１の長さの調整は、第２円筒部材１６を伸縮させることで行う。
【００４４】
押上げ板７１の先端部７３が、押上げ棒１０の半円棒状部材３７の真下の位置するように押上げ装置７０をセットする。その後、押上げ装置７０の嵌合体７５に操作レバー９０を差し込み、操作レバー９０の手元を押し下げる。これにより押上げ板７１が支持軸７６を起点に回動し、先端部７３が持ち上がる。押上げ棒１０は、押上げ板７１に押上げられガイド体５０の係合溝５５に沿って上昇し、地際補強板１０１を押し上げる。
【００４５】
一度の操作で地際補強板１０１を引き抜くことができない場合には、第２円筒部材１６を伸長させ押上げ棒１０の全長を長くして再度、引抜き操作を行えばよい。
【００４６】
本実施形態に示す杭引抜き装置１は、杆の原理を利用して杭１００を引き抜くことができるので人力で容易に引き抜くことができる。また押上げ棒１０を伸長させることができるので、深く打ち込まれた杭１００であっても最後まで引き抜くことができる。平板状の杭であって突出部がない杭１００は、係止具４０を係止させることができないが、本実施形態のようにボルト１１２を利用することで係止具４０を係止させることができる。
【００４７】
本実施形態に示す傾斜した地際補強板１０１の場合、引き抜かれるに従って先端部は＋Ｙ軸方向に漸次移動する。このため押上げ棒１０が一直線状であり、さらにこれを真上（Ｚ軸方向）に押上げると先端の係止具４０が地際補強板１０１に衝突し、地際補強板１０１をうまく引き抜くことができない。
【００４８】
これに対して本実施形態の杭引抜き装置１は、押上げ棒１０が地際補強板１０１の傾斜方向に湾曲し、さらに係合溝５５も先端部が＋Ｙ軸方向に傾斜している。また押上げ棒１０は、本体１１を伸長させるに従って、先端部１２が＋Ｙ軸方向に漸次移動するので、押上げ棒１０及び係止具４０を地際補強板１０１に衝突させることなく地際補強板１０１を引き抜くことができる。また押上げ棒１０は、本体１１を伸長させるに従って、先端部１２が＋Ｙ軸方向に漸次移動するので、地際補強板１０１の引き抜き具合に合わせて杭引抜き装置１を移動させる必要がない。
【００４９】
傾斜した杭１００を引き抜くには、杭１００の傾斜角度に沿って杭１００を引く抜きことが効率的であるが、押上げ棒１０が一直線状であり、これが真上（Ｚ軸方向）に押上げられると、押上げ力の方向と杭１００の傾斜角度とが一致しないので効率が悪い。
【００５０】
これに対して本実施形態の杭引抜き装置１は、押上げ棒１０が地際補強板１０１の傾斜方向に湾曲しており、さらに係合溝５５も先端部が＋Ｙ軸方向に傾斜しているため、押上げ棒１０の押上げ力の方向が地際補強板１０１の傾斜角度に一致し又は近づき地際補強板１０１に効率的に押上げ力が加わる。これらにより地面に対して傾斜し深く打ち込まれた平板状の杭１００であっても容易に引き抜くことができる。
【００５１】
図７（Ｂ）に示すような断面がＴ字状で地面に斜めに打ち込まれた板状の仮アンカ１０５でも、頭部の突出部１０６に係止具４０を係止させ、又は突出部１０６に設けられた孔１０７を利用してボルト１１２を取付け、ここに係止具４０を係止させることで引き抜くことができる。この場合の杭引抜き装置１の機能・作用効果は、地面に傾斜した打ち込まれた地際補強板１０１の場合と同じである。
【００５２】
また本実施形態の杭引抜き装置１は、押上げ棒１０、ガイド体５０、押上げ装置７０及び操作レバー９０が分離しているので、運搬が容易で収納も楽に行える。一方で、押上げ棒１０、ガイド体５０、押上げ装置７０及び操作レバー９０の位置決め連結も容易であり使い勝手がよい。
【００５３】
図６は、本発明の第２実施形態の杭引抜き装置２の押上げ棒２０をガイド体５０にセットした状態を示す斜視図である。図１から図５に示す本発明の第１実施形態の杭引抜き装置１と同一の構成には同一の符号を付して説明を省略する。以下、第１実施形態の杭引抜き装置１と異なる部分を中心に説明する。
【００５４】
第２実施形態の杭引抜き装置２と第１実施形態の杭引抜き装置１とは基本構成を同じくするが、杭引抜き装置２は、木柱を補強する地際補強板１０１などのような地面に垂直に打ち込まれた杭１００の引抜きに好適な杭引抜き装置であり、第１実施形態の杭引抜き装置１と比較して押上げ棒２０の形態が異なる。さらにガイド体５０の支持板６５も第１実施形態の支持板６０と形態が異なる。
【００５５】
押上げ棒２０は、地面に対して垂直に打ち込まれた杭１００を引き抜くため一直線状であり、本体２１が角筒部材で構成されるが、本体２１を構成する第２角部材２６は第１角筒部材２４に対して伸長可能である。また本体２１の底部に係合体３０を備えるなど基本構造は押上げ棒１０と同じである。また先端部に係止具（図示省略）を取付け、また係合体３０をガイド体５０の係合溝５５に嵌め入れ使用するなど使用方法も押上げ棒１０と基本的に同じである。
【００５６】
ガイド体５０の支持板６５は、上面６６に載置されるガイド本体５１を支持する点において第１実施形態のガイド体５０の支持板６０と変わりない。但し、第１実施形態のガイド体５０の支持板６０は、Ｙ軸方向の厚さが異なるが、本実施形態の支持板６５は、Ｘ軸方向、Ｙ軸方向とも同じ厚さである。これはガイド溝５５を傾斜させる必要がないことによる。
【００５７】
また支持板６５は、第１実施形態の支持板６０に比較して長く、一部の領域がガイド本体５１の前側に位置する。ここは押上げ装置７０が載る押上げ装置載置部６７であり、中央には押上げ装置７０の固定板８０が嵌り込む凹部６８が設けられている。凹部６８の大きさは、押上げ装置７０の固定板８０が隙間なく嵌り込む大きさである。
【００５８】
このようにガイド体５０の支持板６５に押上げ装置載置部６７を設け、さらにそこに押上げ装置７０が嵌り込む凹部６８を設けることで、ガイド体５０に対する押上げ装置７０の位置決めが自動的に行える。さらに押上げ装置７０とガイド体５０とが一体化されるため、杭１００を引き抜く際にガイド体５０が移動し難く使い易い。
【００５９】
第２実施形態の杭引抜き装置２においては、押上げ棒２０は鉛直方向（Ｚ軸方向）に平行に押上げられる。第２実施形態の杭引抜き装置２の機能・作用効果は、第１実施形態の杭引抜き装置１と基本的に同じである。
【００６０】
以上、第１及び第２実施形態の杭引抜き装置１、２を用いて本発明に係る杭引抜き装置及び杭引抜き方法を説明したが、本発明に係る杭引抜き装置及び杭引抜き方法は、上記実施形態に限定されるものではなく要旨を変更しない範囲で変更して使用することができる。
【００６１】
例えば、第１及び第２実施形態の杭引抜き装置１、２の押上げ棒１０、２０は、共に本体１１、２１が２本の筒部材で構成されるが、本体を３本以上の円筒部材、角筒部材で構成し、これらにより本体１１、２１を伸縮可能に形成してもよい。また上記実施形態の係合体３０は、係合部３１と軸部３５とで構成されるが、係合体３０を係合部３１のみとし、軸部３５は別体とし、軸部を係合部３１の底部に取付けるようにしてもよい。
【００６２】
また第１実施形態の杭引抜き装置１において、ガイド体５０の支持板に第２実施形態の支持板６５を用いてもよい。またガイド体５０の係合溝５５を高さ方向（Ｚ軸に対して）に湾曲させてもよい。また上記実施形態では、押上げ装置７０の押上げ板７１が板状体であるが、板状体に代えて棒材、ブロック材を用いてもよい。またガイド体５０の支持板６０、６５は、板状体であるが、板状体に代えてブロック材を用いてもよい。また第１実施形態の図２において固定ねじ１８が六角ボルトとなっているが、蝶ボルトでもよいことは当然であり、蝶ボルトを用いればより使い易くなる。
【００６３】
図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６４】
１、２  杭引抜き装置
１０、２０  押上げ棒
１１、２１  本体
１２  本体先端部
１４  第１円筒部材
１６  第２円筒部材
１７  雌ねじ部
１８  固定ねじ
２４  第１角筒部材
２６  第２角筒部材
３０  係合体
３１  係合部
３５  軸部
４０  係止具
５０  ガイド体
５１  ガイド本体
５５  係合溝
６０、６５  支持板
６７  押上げ装置載置部
６８  凹部
７０  押上げ装置
７１  押上げ板
７５  嵌合体
７６  支持軸
７７  支持台
９０  操作レバー
１００  杭
１０１  地際補強板
１０２  地際補強板の孔
１０５  仮アンカ
１０６  突出部
１０７  孔
１１２  ボルト
【図１】
2020084706.tif 000003
【図２】
2020084706.tif 000004
【図３】
2020084706.tif 000005
【図４】
2020084706.tif 000006
【図５】
2020084706.tif 000007
【図６】
2020084706.tif 000008
【図７】
2020084706.tif 000009